(57)【要約】【課題】絞り羽根の連結軸と駆動リングのカム溝との間に生じるガタを無くすことで、絞り開口の精度を向上させることが可能な絞り装置を提供すること。【解決手段】駆動リング４は、地板１の凹部に回転可能に配置されていて、７つのカム溝４ａを有している。また、絞り羽根３は、地板１に回転可能に取り付けるための回転軸３ａと駆動リング４のカム溝４ａに挿入される連結軸３ｂとを有している。そして、カム溝４ａに連結軸３ａとの間で常に隙間無く接触するカム面４ａ−１、４ａ−２を設けることにより、絞り開口の精度を向上させることができる。【選択図】図１
2016012029.tif 000002
【特許請求の範囲】
【請求項１】
円形の開口部を有している地板と、各々が連結軸を有していて周方向に略等角度間隔位置で前記地板に回転可能に取り付けられており協働して絞り開口を形成する複数枚の絞り羽根と、前記開口部の周りに回転可能であると共に周方向に略等角度間隔位置で形成され前記連結軸を個別に嵌合させている複数のカム溝とを有している駆動リングと、を備えており、前記連結軸は、前記カム溝の内側に平行となるように形成された二つのカム面に常に接触するようにしたことを特徴とする絞り装置。
【請求項２】
前記カム溝のカム面が、各々、前記駆動リングの異なる面側に形成されているようにしたことを特徴とする請求項１に記載の絞り装置。
【請求項３】
前記カム溝のカム面の間隔が、前記連結軸の直径と同じかまたは小さいことを特徴とする請求項２に記載の絞り装置。
【請求項４】
請求項１乃至３のいずれかに記載の絞り装置を備えていることを特徴とするカメラ。
【発明の詳細な説明】
【技術分野】
【０００１】
本発明は、複数枚の絞り羽根が、回転リングによって同時に同じ方向へ往復回転させられ、協働して形成する絞りの口径の大きさを変化させるようにした絞り装置、及びそれを備えたカメラに関する。
【背景技術】
【０００２】
従来、このような分野の技術として、例えば以下の特許文献１がある。この特許文献１に記載された絞り装置は、ステッピングモータ２の出力ギアを出力軸３に設けられた出力歯車４から板ばね１０により一方向に付勢されたアイドラギア８を介して風車５に伝達し、風車５と連動する複数の絞り羽根６を相対移動させて任意の絞り開口径を設定する。これにより各歯車間における歯車の噛み合わせによるメカ的なガタ（所謂、バックラッシ）を無くし、絞り口径の高精度化を達成している。
【先行技術文献】
【特許文献】
【０００３】
【特許文献１】特開２００３−１２１９０１号公報
【発明の概要】
【発明が解決しようとする課題】
【０００４】
しかしながら、特許文献１に記載の絞り装置は、組み立て精度によっては、最大絞り口径位置や最小絞り口径位置で絞り風車がスットパ先に当接してしまうと出力歯車から風車までのガタを無くすことはできるが、風車ミゾカムと絞り羽根の羽根カムフォロアピンとのガタまで無くすことができない虞がある。
【０００５】
本発明は、上記事情に対処することを課題の一例とするものである。すなわち絞り口径の精度に直接影響する絞り羽根と回転リング（駆動リング）とのガタを無くして絞り口径の精度を向上させることができる絞り装置、及びそれを備えたカメラを提供することを目的とする。  
【課題を解決するための手段】
【０００６】
上記の目的を達成するために、本発明による絞り装置は、円形の開口部を有している地板と、各々が連結軸を有していて周方向に略等角度間隔位置で地板に回転可能に取り付けられており協働して絞り開口を形成する複数枚の絞り羽根と、開口部の周りに回転可能であると共に周方向に略等角度間隔位置で形成され連結軸を個別に嵌合させている複数のカム溝とを有している駆動リングと、を備えており、連結軸は、カム溝の内側に平行となるように形成された二つのカム面に常に接触するようにしたことを特徴とする。
【０００７】
また本発明は、カム溝のカム面が、各々、駆動リングの異なる面側に形成されているようにすると好ましい。
【０００８】
また本発明は、カム溝のカム面の間隔が、連結軸の直径と同じかまたは小さくすることが好ましい。
【０００９】
更に、本発明のカメラは、上記本発明の絞り装置を備えている、ことを特徴とする。
【発明の効果】
【００１０】
上記構成をなす絞り装置によれば、絞り羽根の連結軸と嵌合する駆動リングのカム溝に、連結軸と常に接触するカム面を設けることにより、絞り羽根と駆動リングの間のガタを確実に無くすことができる。これにより簡単な構成で絞り開口の精度を向上させることができる。
【図面の簡単な説明】
【００１１】
【図１】カバー板側から視た最大の絞り開口の制御状態を示した実施例の平面図。
【図２】図１の要部断面図。
【図３】地板側から視た実施例に用いられている駆動リングの平面図。
【図４】図１と同じようにして視た絞り込み途中の状態を示した実施例の平面図。
【図５】図１と同じようにして視た最小の絞り開口の制御状態を示した実施例の平面図。
【発明を実施するための形態】
【００１２】
本発明の実施の形態を、図示した実施例によって説明する。本発明の絞り装置は、単体の絞り装置として構成することも、シャッタ装置と共にユニット化した絞り装置として構成することも可能であるが、実施例は、単体の絞り装置として構成したものである。
【実施例】
【００１３】
先ず、本実施例の構成を図１から図３を用いて説明する。本実施例の絞り装置は、合成樹脂製の地板１とカバー板２の間に羽根室を形成している。カバー板２は、適宜な手段によって地板１に取り付けられており、地板１とは略同じ外形形状をしているが、図１においては、羽根室内の構成を分かり易くするために、その一部だけが示されていて、図４及び図５では省略されている。本実施例の地板１は、その中央部には光軸Ｏを中心にした円形の開口部１ａを形成している。また、カバー板２も、その中央部には光軸を中心にした円形の開口部２ａを形成している。本実施例では、地板１の開口部１ａが露光開口（最大絞り口径）を規制している。
【００１４】
地板１の羽根室側の面には、開口部１ａを囲むようにして凹部１ｂが形成されている。その凹部１ｂの底面、即ち地板１の羽根室側の面には、光軸ｏを中心にした略等角度間隔位置に七つの羽根取付孔１ｃが形成されていが、図１、図４、図５においては、それらの一つだけに符号を付けてある。また、地板１には、凹部１ｂの外周の縁に、互いに類似な形状をした合計八つのガイド部１ｅが形成されているが、図１、図４、図５においては、それらの一つにだけに符号を付けてある。更に、地板１には、後述する駆動リング４の回転を規制するストッパ部１ｅ、１ｆが形成されている。
【００１５】
上記の凹部１ｂ内には、合成樹脂の一体成型にて形成された７枚の絞り羽根３が配置されているが、それらは全て同じ形状をしているため、図１、図４、図５においては、それらのうちの１枚だけに符号を付けてある。そして、その絞り羽根３は、地板１側に回転軸３ａを有し、カバー板６側に連結軸３ｂを有していて、その回転軸３ａを上記の羽根取付孔１ｃに回転可能に取り付けている。
【００１６】
また、上記の凹部１ｂ内には、絞り羽根３よりもカバー板２側に駆動リング４が配置させられていて、外周面を上記の八つのガイド部１ｅに接触させ、光軸を中心にして往復回転させられるようになっている。この駆動リング４は、光軸ｏを中心にして略等角度間隔に長孔形状をした七つのカム溝４ａを形成していて、各々のカム溝４ａに形成された二つのカム面４ａ−１，４ａ−２に上記の連結軸３ｂを個々に挿入させているが、図１、図４、図５においては、カム溝４ａとカム面４ａ−１，４ａ−２との一つずつに対してだけ符号を付けてある。更に、この駆動リング４は、外周部の一部に、歯部４ｂと張出部４ｃを設けている。
【００１７】
この長孔形状のカム溝４ａに形成された二つのカム面４ａ−１，４ａ−２は、各々、カム溝４ａの両側から内側に向けて平行な凸形状となるようにすると共に、光軸ｏの方向における駆動リング４の異なる面側に形成されている。また、光軸ｏの方向において二つのカム面４ａ−１，４ａ−２は、各々、駆動リング４の厚さよりも薄くなるように形成されている。そして、この二つのカム面４ａ−１，４ａ−２の間に挿入された略円柱形状の連結軸３ｂとの間には、隙間がないようになっている。つまり、連結軸３ｂの直径と二つのカム面４ａ−１，４ａ−２の間隔は、同じか又は連結軸３ｂの直径よりも二つのカム面４ａ−１，４ａ−２の間隔が小さくなるようになっている。そのため、連結軸３ｂの直径よりも二つのカム面の間隔が小さい場合には、連結軸３が若干変形して常にカム面と接触するようになっている。
【００１８】
本実施例においては、このような駆動リング４が、所定の回転角度範囲内において、ステップモータによって往復回転させられるようになっている。このステップモータは、羽根室外において地板１に取り付けられているが、その構成は周知であるため、図１、図４、図５においては、その詳細な構成を示しておらず、地板１の羽根室外に配置されている永久磁石製の回転子５と、羽根室側に貫通された出力軸に取り付けられた出力歯車５ａだけが示されている。また、地板１には、親子歯車（２段歯車）６回転可能に取り付けられている。
【００１９】
次に、本実施例の作動を説明する。図１は、７枚の絞り羽根３が開口部１ａを全開にしている状態、即ち最大絞り開口の制御状態を示したものであり、各絞り羽根３の連結軸３ｂは、カム溝３の二つのカム面４ａ−１，４ａ−２と隙間無く接している。被写体光が、所定の明るさよりも暗い場合には、このまま撮影が行われるが、被写体光が、所定の明るさよりも明るい場合には、ステップモータの回転子５が時計方向へ回転させられる。それによって、駆動リング４が、出力歯車５ａと親子歯車６を介して時計方向へ回転させられるので、７枚の絞り羽根３は、連結軸３ｂをカム溝４のカム面４ａ−１，４ａ−２に押され、回転軸３ａを中心にして同時に反時計方向へ回転させられて、開口部１ａ内に進入し、それらの絞り羽根３の協働によって絞り開口を小さくしていく。
【００２０】
そして、所定の絞り開口が得られたところで回転子５が停止して撮影が行われることになる。図４は、そのようにして、７枚の絞り羽根３が、最大絞り開口と最小絞り開口との途中の絞り開口制御位置に達している状態を示したものであるが、この図１から図４の状態に至るまの間であっても、絞り羽根３の連結軸３ｂは、カム溝４のカム面４ａ−１，４ａ−２と隙間無く接触しているので、カム面と連結軸との間のガタを無くすことができる。また図１に示された最大絞り開口の制御状態から図４に示された途中の絞り開口制御位置に至る間、図２に示されたように、各カム面４ａ−１，４ａ−２は駆動リングの厚さよりも薄く形成されているので連結軸３ｂとの間に生じる摩擦の影響を減らせるので絞り羽根をスムースに回転させることができる。
【００２１】
また、図５は、図４の状態よりも駆動リング４が、さらに時計方向へ回転させられて、張出部４ｃがストッパ部１ｆに当接して停止させられ、７枚の絞り羽根３が、最小絞り開口の制御位置にある状態を示したものであるが、この状態に至るまでの間でも、絞り羽根３の連結軸３ｂは、カム面４ａ−１，４ａ−２と隙間無く接しているので、カム面と連結軸との間のガタを無くすことができる。更にカム面と連結軸との間の摩擦を減らすことができるので絞り羽根３をスムースに回転させることが出来る。
【００２２】
このようにして、撮影が終了すると、回転子５は、反時計方向へ回転させられ、駆動リング４を反時計方向へ回転させ、７枚の絞り羽根３を時計方向へ回転させる。そして、それらの回転は、駆動リング４の張出部４ｃがストッパ部１ｅに当接することによって停止させられる。その状態が図１に示された状態である。尚、本実施例は、図１が撮影開始前の状態であることにして説明したが、図５に示された状態を撮影開始前の状態にしてもよいことは言うまでもない。
【００２３】
このように、本実施例は、駆動リング４が、どのような回転位置にある場合でも、カム溝４ａのカム面４ａ−１，４ａ−２と連結軸３ｂが隙間無く接しているので、カム面４ａ−１，４ａ−２と連結軸３ｂとの間のガタを無くすことができる。さらに、本実施例は、カム面４ａ−１，４ａ−２が駆動リング４の厚さよりも薄いので、カム面４ａ−１，４ａ−２と連結軸３ｂが常に隙間無く接触していても、カム面４ａ−１，４ａ−２と連結軸３ｂの間の摩擦を減らすことができるので、絞り羽根３の作動が安定し、所定の絞り開口が一層適正に得られるようになっている。
【００２４】
尚、本実施例においては、図２に示されたように光軸方向において、二つのカム面が、各々、駆動リングの異なる面側に形成されるようにしたが、二つのカム面を同じ面側に形成するようにしても差し支えない。また、本実施例においては、絞り羽根の回転軸を絞り羽根自体に形成したが、地板に軸を立設し、絞り羽根に形成した孔をその軸に回転可能に取り付けるようにしても差し支えない。更に、本実施例においては、絞り羽根を合成樹脂の一体成型にて形成するようにしたが、少なくとも連結軸が変形可能な合成樹脂製とすれば、他の部位については合成樹脂製に限定されるものではない。
【産業上の利用可能性】
【００２５】
以上、述べたように、本発明の絞り装置は、絞り口径の精度向上を達成できるため、一眼カメラ、ミラーレスカメラ等の光学機器に適用できる。
【符号の説明】
【００２６】
１                      地板
１ａ                    開口部
１ｃ                    羽根取付孔
１ｅ、１ｆ              ストッパ部
２                      カバー板
３                      絞り羽根
３ａ                    回転軸
３ｂ                    連結軸
４                      駆動リング
４ａ                    カム溝
４ａ−１、４ａ−２      カム面
５                      回転子
Ｏ                      光軸
【図１】
2016012029.tif 000003
【図２】
2016012029.tif 000004
【図３】
2016012029.tif 000005
【図４】
2016012029.tif 000006
【図５】
2016012029.tif 000007